(57)【特許請求の範囲】
【請求項１】
開口部の上方左右にブラケットを設け、該左右のブラケットに昇降スプロケットを設けると共に該昇降スプロケットを開閉機により駆動可能とし、収納レールを前記昇降スプロケットの接線方向に設け、屈撓自在な防火スクリーンに骨材が所要間隔で設けられ、該骨材の端部に前記昇降スプロケットに噛合する連結チェーンを係着すると共に該連結チェーンより突出させて収納ローラを回転自在に設け、該収納ローラが前記収納レールに転動可能とすると共に前記防火スクリーンの上端を前記ブラケット側に係着し、前記昇降スプロケットの最頂点から骨材と骨材とのピッチの１／２だけの距離離して前記昇降スプロケットの下方に横行ガイドを設け、前記収納ローラと収納ローラの中間に前記横行ガイドに沿って転動可能な折畳みガイドローラを設けたことを特徴とする防火スクリーン装置。
【請求項２】
前記収納レールと平行にチェーン誘導棒を設け、該チェーン誘導棒に吊り輪を摺動自在に設け、前記防火スクリーンの上端を前記吊り輪に係着した請求項１の防火スクリーン装置。
【請求項３】
防火スクリーンの端縁部に幅方向に突出する係着ピンを所定間隔で設け、該係着ピンを連結チェーンのリンク連結ピンに嵌合させた請求項１の防火スクリーン装置。
【発明の詳細な説明】
【０００１】
【発明の属する技術分野】
本発明は火災が発生した場合に、延焼、或は煙の拡散を防止する為の防火、防煙設備として設けられる防火スクリーン装置に関するものである。
【０００２】
【従来の技術】
防火、防煙設備として設けられる従来の防火スクリーン装置を図７に於いて説明する。
【０００３】
天井１の背面側に防火スクリーン巻取装置２が設けられ、該防火スクリーン巻取装置２の巻取り軸３は区画すべき間口に掛渡り設けられ、両端を回転自在に支持され、前記巻取り軸３は巻取用モータ４により回転され不燃性の防火スクリーンを巻取る様になっている。前記巻取り軸３から繰出された防火スクリーン５は前記天井１に設けられたスリット状の開口部６より垂下しており、該開口部６の両側には複数のドレンチャーヘッド７が設けられ、該ドレンチャーヘッド７は配管８を介して図示しない貯水タンク等の水源に連通している。
【０００４】
火災が発生した場合は、前記巻取用モータ４を駆動して前記防火スクリーン５が垂下され、空間を仕切ると共に前記防火スクリーン５に向かって前記ドレンチャーヘッド７より水が吹付けられる。不燃性の前記防火スクリーン５、該防火スクリーン５に吹付けられ形成される水幕により火元側との遮断及び防火を行う。
【０００５】
【発明が解決しようとする課題】
前記従来の防火スクリーン装置では防火スクリーン５は前記巻取り軸３により巻取られている。従って、間口高さが高くなると前記巻取り軸３が巻太りして収納スペースが大きくなる。又、而も巻取り軸３は両端で支持されている為、大間口を仕切る為には強度、剛性の高い巻取り軸３である必要があり、巻取り軸３は大口径とならざるを得なかった。
【０００６】
本発明は斯かる実情に鑑み、防火スクリーン装置の収納スペースを小さく、合わせて防火スクリーン装置の簡潔化、耐火性、断熱性、防炎性、防煙性を向上しようとするものである。
【０００７】
【課題を解決するための手段】
本発明は、開口部の上方左右にブラケットを設け、該左右のブラケットに昇降スプロケットを設けると共に該昇降スプロケットを開閉機により駆動可能とし、収納レールを前記昇降スプロケットの接線方向に設け、屈撓自在な防火スクリーンに骨材が所要間隔で設けられ、該骨材の端部に前記昇降スプロケットに噛合する連結チェーンを係着すると共に該連結チェーンより突出させて収納ローラを回転自在に設け、該収納ローラが前記収納レールに転動可能とすると共に前記防火スクリーンの上端を前記ブラケット側に係着し、前記昇降スプロケットの最頂点から骨材と骨材とのピッチの１／２だけの距離離して前記昇降スプロケットの下方に横行ガイドを設け、前記収納ローラと収納ローラの中間に前記横行ガイドに沿って転動可能な折畳みガイドローラを設けた防火スクリーン装置に係り、又前記収納レールと平行にチェーン誘導棒を設け、該チェーン誘導棒に吊り輪を摺動自在に設け、前記防火スクリーンの上端を前記吊り輪に係着した防火スクリーン装置に係り、更に又防火スクリーンの端縁部に幅方向に突出する係着ピンを所定間隔で設け、該係着ピンを連結チェーンのリンク連結ピンに嵌合させた防火スクリーン装置に係るものである。
【０００８】
昇降スプロケットが回転することで連結チェーンが昇降し、防火スクリーンが昇降する。上昇した防火スクリーンは昇降スプロケットを通過後折り畳まれ、収納レールに吊下げられた状態で収納される。
【０００９】
【発明の実施の形態】
以下、本発明の実施の形態を図１〜図３に於いて説明する。
【００１０】
間口に臨接する側柱１０にガイドレール１１を固着し、該ガイドレール１１の上側に収納ボックス１２を設ける。該収納ボックス１２の側面はブラケット１３により構成され、前記ガイドレール１１に連続する上部ガイドレール１４を前記ブラケット１３に設け、該上部ガイドレール１４の上端に対向する位置に軸受１５を設ける。２つの軸受１５に掛渡って連動軸１６を回転自在に設ける。該連動軸１６は、摺動カラー部１７と両端部を形成する軸部２０から成り、前記摺動カラー部１７の両端には昇降スプロケット１８が固着され、前記軸部２０の一方は前記ブラケット１３を貫通して突出し、該ブラケット１３より突出した軸端部には従動スプロケット１９が嵌着されている。前記ブラケット１３には開閉機２１が設けられ、該開閉機２１の出力軸に嵌着された駆動スプロケット（図示せず）と前記従動スプロケット１９とはチェーン２２により連結されている。
【００１１】
前記昇降スプロケット１８の外接円と同心の円弧が形成された連結チェーン押え２３を前記ブラケット１３に固着する。前記昇降スプロケット１８の外接円の接線方向で該昇降スプロケット１８より離反するにつれ下り勾配の収納レール２４を前記ブラケット１３に固着すると共に前記収納レール２４と平行なチェーン誘導棒２５を前記収納レール２４の上側に設ける。
【００１２】
防火スクリーン２７は、シリコン繊維製、ガラス繊維製等の不燃性の１枚物又は複数のクロスを縫合せて１枚にしたカーテンクロス２８に所要間隔で骨材２９が縫込まれたものであり、該骨材２９の両端部にはピン３０が嵌設されている。前記カーテンクロス２８の側縁に沿って連結チェーン３１が設けられ、前記ピン３０は前記連結チェーン３１の枢着部を貫通し、該連結チェーン３１により前記ピン３０が順次連結されている。該ピン３０の突出端には収納ローラ３２が回転自在に設けられている。該収納ローラ３２は前記ガイドレール１１に嵌合し、前記連結チェーン３１は前記昇降スプロケット１８に噛合する。
【００１３】
又、前記チェーン誘導棒２５には吊り輪３３が遊貫しており、該吊り輪３３は前記防火スクリーン２７の上端に係着している。
【００１４】
前記開閉機２１を駆動させ、前記チェーン２２を介して前記従動スプロケット１９を時計方向に回転させると、前記昇降スプロケット１８が時計方向に回転される。該昇降スプロケット１８の回転により前記連結チェーン３１が引上げられ、カーテンクロス２８が上昇する。前記連結チェーン押え２３は昇降スプロケット１８の回転中に前記連結チェーン３１が昇降スプロケット１８より外れるのを防止する。
【００１５】
前記収納ローラ３２は上部ガイドレール１４を外れた後前記収納レール２４に嵌合し、該収納レール２４の下り勾配により収納レール２４を反昇降スプロケット１８側に移動して収納レール２４に格納される。前記連動軸１６を通過後、前記骨材２９と骨材２９との間のカーテンクロス２８は自重で垂下り、防火スクリーン２７は蛇腹状に折畳まれて収納ボックス１２内に収納される。
【００１６】
又、前記開閉機２１により昇降スプロケット１８を半時計方向に回転させると前記防火スクリーン２７は収納ボックス１２より引出され、前記ガイドレール１１に沿って降下し、廊下等開口部を遮断し、防火区を画成する。前記吊り輪３３は防火スクリーン２７が引出されるに従ってチェーン誘導棒２５を移動し、チェーン誘導棒２５の昇降スプロケット１８側の端部で停止し、閉状態で防火スクリーン２７の上端をチェーン誘導棒２５に係止し、防火スクリーン２７が自重により落下するのを防止する。尚、落下防止の為の係着手段としては、防火スクリーン２７の上端を収納レール２４に直接固着してもよく、或は最上位置の収納ローラ３２の軸を長くしておき、収納レール２４に設けたストッパと係合する様にしてもよい等、種々考えられる。
【００１７】
図４に示す他の実施の形態は、防火スクリーン２７が格納される際の、折畳みが積極的に行われる様にしたものである。
【００１８】
防火スクリーン２７の端縁部、骨材２９と骨材２９との中間に折畳みガイドローラ３６を防火スクリーン２７に対して突出させて設ける。前記昇降スプロケット１８の下方、該昇降スプロケット１８の最頂点から骨材２９と骨材２９とのピッチの１／２だけの距離下方に横行ガイド３７を前記ブラケット１３に設ける。
【００１９】
前記昇降スプロケット１８が連結チェーン３１を引上げ、防火スクリーン２７が上昇すると前記折畳みガイドローラ３６が横行ガイド３７に当接し、横行ガイド３７に沿って横行し、防火スクリーン２７の折畳みが促進される。
【００２０】
図５は更に他の実施の形態を示している。カーテンクロス２８の端縁部にチェーンのローラピッチと等しく係着ピン３８を突設し、該係着ピン３８を前記連結チェーン３１のリンク連結ピン３９に回転自在に嵌入する。而して、前記カーテンクロス２８の端縁部に沿って連結チェーン３１を屈撓自在に係着する。
【００２１】
前記昇降スプロケット１８により連結チェーン３１を引上げることで、防火スクリーン２７は連結チェーン３１と一体に昇降する。尚、前記係着ピン３８はリンク連結ピン３９のピッチの２倍、或は３倍等所定の間隔でも良い。
【００２２】
更に又、前記連結チェーン３１の代わりにタイミングベルトを防火スクリーン２７の端縁部に固着してもよい。又、前記骨材２９の１つおきに収納ローラ３２を設け、収納ローラ３２が設けられていない前記骨材２９を防火スクリーン２７の折畳みの為の重りとしてもよい。
【００２３】
図６により、前記防火スクリーン２７の一例を説明する。
【００２４】
表裏２枚の不燃カーテンクロス２８，２８の間に層状に高分子吸水材３４を挾設し、更にキルティング加工したものである。該防火スクリーン２７によれば、前記高分子吸水材３４が吸水することで、気密性、断熱性が向上する。防火スクリーンは、高分子吸収材とシリコン繊維製、ガラス繊維製等の不燃難燃シートの多層構造にすることにより、より防火、防煙性、遮熱効果が得られるが、流下する水により水幕が形成される為、特に不燃難燃性を持たない単なる繊維や樹脂の織物等の材質のシートと高分子吸収材との多層構造でもよい。
【００２５】
尚、上記実施の形態に於いて左右の昇降スプロケットを連結している摺動カラー部１７を省略してもよい。この場合、左右の昇降スプロケットそれぞれに対して開閉機を設けて同期駆動する様にする。
【００２６】
更に、防火スクリーンは順次収納されていくので収納レールは必ずしも下り傾斜を有する必要はない。
【００２７】
【発明の効果】
以上述べた如く本発明によれば、防火スクリーンの重量は、吊元金具と、巻上げワイヤを介してワイヤ巻取り軸の両方に支持されるので、ワイヤ巻取り軸の負担する荷重は大幅に軽減され、小径化が可能となる。又、防火スクリーンユニットを連設した場合にも防火スクリーン間に隙間が生じることなく、中柱、ガイドレールが必要なく構造が簡潔となり、中柱、ガイドレールを設けられない場所等での設置に制約を受けることがなく、更に屈曲させて設けることができるので設置場所の自由度が大幅に増大する。又、防火スクリーンを高分子吸水材を含む多層構造とすれば気密性、断熱性が一層向上する。
【図面の簡単な説明】
【図１】本発明の実施の形態を示す側面図である。
【図２】同前実施の形態を示す要部斜視図である。
【図３】同前実施の形態を示す要部断面図である。
【図４】本発明の他の実施の形態を示す側面図である。
【図５】本発明の更に他の実施の形態を示す部分斜視図である。
【図６】本発明の実施の形態に用いられる防火スクリーンの一例を示す部分断面図である。
【図７】従来例を示す説明図である。
【符号の説明】
１２        収納ボックス
１６        連動軸
１８        昇降スプロケット
１９        従動スプロケット
２４        収納レール
２５        チェーン誘導棒
２７        防火スクリーン
３０        ピン
３１        連結チェーン
３２        収納ローラ
３８        係着ピン
【図１】
0003658492.tif 000002
【図２】
0003658492.tif 000003
【図３】
0003658492.tif 000004
【図４】
0003658492.tif 000005
【図５】
0003658492.tif 000006
【図６】
0003658492.tif 000007
【図７】
0003658492.tif 000008